(57)【要約】【課題】  使用すべき画像データの輝度範囲をより簡易に、かつ適正に選択でき、短時間で所望の画像が得られる画像表示装置を提供する。【解決手段】  ディスプレイに表示されている画像上にあって、オペレータが指定した座標を受け付ける指定座標受付部３０３、この座標を含む所定の領域に表示されている画像の輝度にかかる輝度情報を取得する輝度情報抽出部３０５、抽出された輝度情報を基準にし、輝度の大ダイナミックレンジでなる画像データを画像を表示する輝度の小ダイナミックレンジに変換する演算部３０７及び画像データ変換部３０９を画像表示装置に設ける。【選択図】  図３
2006080826.tif 000002
【特許請求の範囲】
【請求項１】
所定の範囲の輝度の大ダイナミックレンジでなる画像データを、前記大ダイナミックレンジより小なる小ダイナミックレンジで表示する画像表示装置であって、
表示画面に表示されている画像のうち所定の位置に表示されている画像の輝度にかかる輝度情報を取得する輝度情報取得手段と、
前記輝度情報取得手段によって取得された輝度情報を基準にし、前記大ダイナミックレンジでなる画像データを前記小ダイナミックレンジに対応付けて変換する輝度値変換手段と、
を備えることを特徴とする画像表示装置。
【請求項２】
前記輝度情報取得手段によって輝度情報が取得される画像の位置を指定する位置指定手段をさらに備えることを特徴とする請求項１に記載の画像表示装置。
【請求項３】
前記輝度情報取得手段は、前記位置指定手段によって指定された位置を含む所定の範囲にある画像の輝度にかかる輝度情報を取得することを特徴とする請求項２に記載の画像表示装置。
【請求項４】
前記輝度情報取得手段は、Ｒ，Ｇ，Ｂで表される画像データのＧ成分にかかる輝度情報を取得することを特徴とする請求項１から３のいずれか１項に記載の画像表示装置。
【請求項５】
前記輝度値変換手段は、前記輝度情報が示す輝度を前記小ダイナミックレンジの所定のレベルに変換することによって前記大ダイナミックレンジでなる画像データを前記小ダイナミックレンジに変換することを特徴とする請求項１から４のいずれか１項に記載の画像表示装置。
【請求項６】
前記輝度値変換手段は、前記輝度情報が示す輝度が、前記画像全体の輝度の平均値になるように前記大ダイナミックレンジでなる画像データを前記小ダイナミックレンジに変換することを特徴とする請求項５に記載の画像表示装置。
【請求項７】
前記輝度情報が前記画像の反射率を含み、前記画像全体の輝度の平均値は、画像の反射率１８％に相当する輝度であることを特徴とする請求項６に記載の画像表示装置。
【請求項８】
所定の範囲の輝度の大ダイナミックレンジでなる画像データを、前記大ダイナミックレンジより小なる小ダイナミックレンジで表示する画像処理方法をコンピュータに実行させるためのプログラムであって、
表示画面に表示されている画像のうち所定の位置に表示されている画像の輝度にかかる輝度情報を取得する輝度情報取得ステップと、
前記輝度情報取得ステップにおいて取得された輝度情報を基準にし、前記大ダイナミックレンジでなる画像データを前記小ダイナミックレンジに対応付けて変換する輝度値変換ステップと、
を含むことを特徴とする画像処理方法をコンピュータに実行させるためのプログラム。
【請求項９】
前記輝度情報取得ステップは、前記表示画面に表示されている画像のうちの所定の位置の指定を受け付ける位置指定受付ステップを含み、当該位置指定受付ステップにおいて受け付けられた位置に表示されている画像の輝度にかかる輝度情報を取得することを特徴とする請求項８に記載の画像処理方法をコンピュータに実行させるためのプログラム。
【発明の詳細な説明】
【技術分野】
【０００１】
本発明は、画像表示装置及び画像処理方法をコンピュータに実行させるためのプログラムに関する。
【背景技術】
【０００２】
現在、画像をデジタルデータとして配信あるいは記録する技術が普及している（本明細書では、画像のデジタルデータを以降画像データと記す）。このような画像データの多くが、Ｒ，Ｇ，Ｂの３色を各々８ビットで表している。
画像データの８ビットというデータ量は、一般的な写真等の全体の輝度レベルを表現するのにあたって充分な量とはいえない。このため、写真のコントラストが比較的大きい場合、この写真の情報が一部欠落するという不具合が発生し得る。
【０００３】
例えば、屋内から屋外を撮影して得られる写真において、８ビットの画像データは、暗い屋内と明るい屋外とを同時に表現することができないことがある。このような場合、露出を調整することによって写真の輝度レベルを明るい側、暗い側のいずれかに合わせることができる。
しかし、輝度レベルを明るい側に合わせた写真では、暗い側が単に黒い画像として表現され、この部分の画像の情報が欠落することになる。一方、輝度レベルを暗い側に合わせた写真では、明るい側が白い画像として表現され、この部分の画像の情報が欠落することになる。なお、画像が黒で表されて情報が欠落する現象を黒潰れ、画像が白で表されて情報が欠落する現象を白飛びともいう。
【０００４】
すなわち、黒潰れや白飛びは、８ビットの画像データが輝度を０〜２５５のレベルでしか表現できず、画像の輝度が０〜２５５以上のレベルにわたっていることによって起こる。黒潰れや白飛びした部分が本来２５７の画素値で表されるべき画像である場合、従来の画像処理では、この画像を２５５の画素値で表現してしまう。このため、この画像が画素値２５７で表されるべきであったという情報は処理後の画像データに残らず、欠落することになる。
【０００５】
上記した点を解消する従来技術として、例えば、特許文献１に記載された発明が挙げられる。この発明は、８ビット以上のダイナミックレンジの画像データを用いている。そして、８ビット（０〜２５５）の画像データで標準画像を生成し、ディスプレイに表示させる。さらに、画像の表示に使用するビットをシフトさせながら複数の画像を順次表示させ、ユーザが表示された複数の画像から任意の画像を選択可能に構成している。
【０００６】
図８は、１２ビットの画像データから画像に使用するビットの範囲ｗをシフトすることを模式的に示す図である。図８（ａ）は、１２ビットのうち、１〜８ビットを使う設定を示している。図８（ｂ）は、（ａ）に示した設定よりも２ビット分、範囲ｗをずらした設定を示し、（ｃ）はさらに２ビット分範囲ｗをずらした設定を示している。このような従来技術によれば、範囲ｗ内にあるビットで表される画像は明瞭に表され、範囲ｗ以下、または範囲ｗ以上のビットで表される画像は白または黒によって表される。
【特許文献１】特開２０００−３０７９２１号公報
【発明の開示】
【発明が解決しようとする課題】
【０００７】
しかしながら、上記した特許文献１に記載された発明は、オペレータが画像を見て試行錯誤しながら表示される画像の輝度の基準をシフトさせるため、画像の選択に時間を要するという欠点がある。そのうえ、ディスプレイに複数の画像を表示させる必要があるので、ディスプレイの比較的小さい機器に特許文献１の発明を適用するとオペレータが画像を確認し難く、画像の選択はいっそう困難になる。
【０００８】
本発明は、このような点に鑑みてなされたものであり、使用すべき画像データの輝度範囲をより簡易に、かつ適正に選択でき、短時間で所望の画像が得られる画像表示装置及び画像処理方法をコンピュータに実行させるためのプログラムを提供することを目的とする。
【課題を解決するための手段】
【０００９】
以上の課題を解決するため、本発明の画像表示装置は、所定の範囲の輝度の大ダイナミックレンジでなる画像データを、前記大ダイナミックレンジより小なる小ダイナミックレンジで表示する画像表示装置であって、表示画面に表示されている画像のうち所定の位置に表示されている画像の輝度にかかる輝度情報を取得する輝度情報取得手段と、前記輝度情報取得手段によって取得された輝度情報を基準にし、前記大ダイナミックレンジでなる画像データを前記小ダイナミックレンジに対応付けて変換する輝度値変換手段と、を備えることを特徴とする。
【００１０】
このような発明によれば、画像のうちの所定の位置の輝度を基準にした画像を自動的に生成することができる。このため、画像の輝度の設定に人為的な判断が不要になり、複数の画像を比較するために画面に表示することが不要になる。したがって、使用すべき画像データの輝度範囲をより簡易に、かつ適正に選択でき、短時間で所望の画像が得られる画像表示装置を提供することができる。
【００１１】
また、本発明の画像表示装置は、前記輝度情報取得手段によって輝度情報が取得される画像の位置を指定する位置指定手段をさらに備えることを特徴とする。
このような発明によれば、オペレータが画像の位置を指定でき、オペレータの意図をより反映した画像を生成することができる。
また、本発明の画像表示装置は、前記輝度情報取得手段が、前記位置指定手段によって指定された位置を含む所定の範囲にある画像の輝度にかかる輝度情報を取得することを特徴とする。
【００１２】
このような発明によれば、指定された位置を含む画像の範囲の輝度を基準にして画像全体の輝度を設定することができる。このため、この位置の輝度の情報をより多く取り込み、指定された点のずれ等によって基準となる輝度が大きく変わることを防ぐことができる。
また、本発明の画像表示装置は、前記輝度情報取得手段が、Ｒ，Ｇ，Ｂで表される画像データのＧ成分にかかる輝度情報を取得することを特徴とする。
【００１３】
このような発明によれば、輝度に最も影響を与えるＧ成分の輝度情報を使って画像の基準となる輝度を求めることができる。このため、画像の輝度を充分に反映した基準値を得て、画像を表現するのに適正な輝度に画像データを変換することができる。
また、本発明の画像表示装置は、前記輝度値変換手段が、前記輝度情報が示す輝度を前記小ダイナミックレンジの所定のレベルに変換することによって前記大ダイナミックレンジでなる画像データを前記小ダイナミックレンジに変換することを特徴とする。
【００１４】
このような発明によれば、輝度情報を基準にして画像を適正な輝度に変換することができる。
また、本発明の画像表示装置は、前記輝度値変換手段が、前記輝度情報が示す輝度が前記画像全体の輝度の平均値になるように前記大ダイナミックレンジでなる画像データを前記小ダイナミックレンジに変換することを特徴とする。
【００１５】
このような発明によれば、輝度情報を画像全体の輝度の平均値に設定することができる。このため、画像を適正な輝度に変換することができる。
また、本発明の画像表示装置は、前記輝度情報が前記画像の反射率を含み、前記画像全体の輝度の平均値は、画像の反射率１８％に相当する輝度であることを特徴とする。
このような発明によれば、輝度情報を画像全体の輝度の平均値に比較的簡易に設定することができる。このため、画像全体の適正な輝度の基準を簡易に設定することができる。
【００１６】
また、本発明の画像処理方法をコンピュータに実行させるためのプログラムは、所定の範囲の輝度の大ダイナミックレンジでなる画像データを、前記大ダイナミックレンジより小なる小ダイナミックレンジで表示する画像処理方法をコンピュータに実行させるためのプログラムであって、表示画面に表示されている画像のうち所定の位置に表示されている画像の輝度にかかる輝度情報を取得する輝度情報取得ステップと、前記輝度情報取得ステップにおいて取得された輝度情報を基準にし、前記大ダイナミックレンジでなる画像データを前記小ダイナミックレンジに対応付けて変換する輝度値変換ステップと、を含むことを特徴とする。
【００１７】
このような発明によれば、画像のうちの所定の位置の輝度を基準にした画像を自動的に生成することができる。このため、画像の輝度の設定に人為的な判断が不要になり、複数の画像を比較するために画面に表示することが不要になる。したがって、使用すべき画像データの輝度範囲をより簡易に、かつ適正に選択でき、短時間で所望の画像が得られる画像処理方法をコンピュータに実行させるためのプログラムを提供することができる。
【００１８】
また、本発明の画像処理方法をコンピュータに実行させるためのプログラムは、前記輝度情報取得ステップが、前記表示画面に表示されている画像のうちの所定の位置の指定を受け付ける位置指定受付ステップを含み、当該位置指定受付ステップにおいて受け付けられた位置に表示されている画像の輝度にかかる輝度情報を取得することを特徴とする。
このような発明によれば、指定された画像の位置を基準にして画像全体の輝度を変換することができる。このため、画像個々の特性に適した画像を生成することができる。
【発明を実施するための最良の形態】
【００１９】
以下、図を参照して本発明に係る画像表示装置及び画像処理方法をコンピュータに実行させるためのプログラムの一実施の形態を説明する。なお、本発明の画像表示装置及び画像処理方法をコンピュータに実行させるためのプログラムは、所定の範囲の輝度のダイナミックレンジでなる画像データを取り扱うことが可能であって、この範囲が８ビット以上のものとする。このようなダイナミックレンジを、本実施形態では大ダイナミックレンジと記す。
【００２０】
また、本発明の画像表示装置及び画像処理方法をコンピュータに実行させるためのプログラムは、大ダイナミックレンジをより小さいダイナミックレンジ（小ダイナミックレンジ）で表示する。本実施形態の小ダイナミックレンジは、８ビット、０〜２５５の階調で表されるものとする。
図１は、本発明の一実施形態の画像表示装置を説明するための図である。図示した画像表示装置は、本体１０５と、本体１０５に設けられたディスプレイ１０１と、ディスプレイ１０１に表示されている画像のうちの任意の位置を指定するためのコントロールボタン１０３とを備えている。コントロールボタン１０３は、ディスプレイ１０１に表示されている画像の任意の位置を指定する位置指定手段として機能する。なお、コントロールボタン１０３のうち、１０３ｂは後述するポインタｐを移動させるための十字キーであり、１０３ａはポインタｐの位置を確定する確定ボタンを示している。
【００２１】
図２は、図１に示した画像表示装置の構成を説明するためのブロック図である。画像表示装置は、表示すべき画像の画像データを保存するための画像保存用大容量メモリ２０３、画像表示装置で行われる処理全般を制御する制御部２０１を備えている。
制御部２０１は、画像表示装置全体を制御する汎用的なプロセッサ及びメモリと、特に画像データの処理に用いられる画像処理用プロセッサ及び画像データ用メモリで構成されている。画像処理用プロセッサ及び画像データ用メモリは、本実施形態の画像表示装置で行われる画像処理を制御する構成であって、本実施形態の画像処理方法をコンピュータに実行させるためのプログラムを備えている。
【００２２】
また、画像表示装置は、画像処理用プロセッサ及び画像データ用メモリによって処理された画像データを使って生成された画像をディスプレイ１０１に表示させる表示用ＬＳＩ２０５、表示用ＬＳＩのワークメモリとして使用されるＶＲＡＭ２０７を備えている。
図３は、制御部２０１のうち、画像処理用プロセッサ３０１及び画像データ用メモリ３１１を説明するための機能ブロック図である。画像処理用プロセッサ３０１は、ディスプレイ１０１に表示されている画像のうち所定の位置の指定を受け付ける指定座標受付部３０３、指定された位置に表示されている画像の輝度にかかる輝度情報を取得する輝度情報抽出部３０５を備えている。
【００２３】
また、画像表示装置は、輝度情報抽出部３０５によって取得された輝度情報を基準にし、画像の全体を表示する大ダイナミックレンジでなる画像データを小ダイナミックレンジに対応付けて変換する輝度値変換手段を備えている。本実施形態では、演算部３０７及び画像データ変換部３０９が輝度値変換手段として機能する。演算部３０７及び画像データ変換部３０９は、画像データ用メモリ３１１に保存されている画像データを変換し、画像データの輝度を変換するものである。
【００２４】
以上述べた画像表示装置の動作を、図４、図５を用いて説明する。すなわち、オペレータは、コントロールボタン１０３によってディスプレイ１０１に表示されている画像のうちの任意の位置を指定する。本実施形態では、オペレータがコントロールボタン１０３を操作することによって座標信号Ｓａが発生するものとした。座標信号Ｓａは、指定された画像の位置の座標を示す信号であって、指定座標受付部３０３に入力される。
【００２５】
図４は、オペレータによって行われる画像の位置を指定する操作を説明するための図であって、図４（ａ）は、画像の位置を決定する操作中にディスプレイ１０１に表示される画像を示す。図４（ｂ）は、決定した位置に表示されている画像の輝度にかかる輝度情報を基準にして輝度の基準が変更された画像を示している。本実施形態では、ディスプレイ１０１に画像と共にポインタｐが表示される。オペレータは、コントロールボタン１０３の十字キー１０３ｂを操作してポインタｐを移動させ、ポインタｐが所望の位置にあるときに確定キー１０３ａを押下してポインタｐの位置を確定する。座標信号Ｓａは、確定キー１０３ａの押下によって発生する。
【００２６】
図４（ａ）に示した例では、画像において手前にある人物ｍを基準に画像の輝度が設定されている。このような場合、人物ｍが明瞭な画像となって現われている。また、図４（ｂ）に示すように、図４（ａ）に示した画像の背景にある家ｈにポインタｐを移動させて確定すると、家ｈのポインタｐがある部分の明度が画像全体の明度の基準になる。この場合、家ｈのポインタがある部分の画像が明瞭に表現される。なお、このとき、人物ｍの画像は、ポインタｐのある部分の輝度を基準にして定められた基準から輝度が外れた場合に黒潰れすることがある。
【００２７】
図３に示した制御部２０１のうち、指定座標受付部３０３には、ポインタｐの位置が確定したことによって発生し、ポインタｐの位置を示す座標信号Ｓaが入力される。指定座標受付部３０３によって受け付けられた座標信号Ｓaは、輝度情報抽出部３０５に入力される。輝度情報抽出部３０５は、座標信号Ｓaによってポインタｐの位置を知り、この位置にある画像の輝度を抽出する。
【００２８】
図５は、ポインタｐの座標と抽出される画像との関係を説明するための図である。本実施形態では、図５（ａ）に示したように、ポインタｐの座標を含む所定の範囲（微小領域）ａ1の輝度値が輝度情報抽出部３０５によって抽出される。微小領域ａ1は複数の画素で構成されていて、微小領域ａ1内で輝度の分布が生じる場合もある。演算部３０７は、微小領域ａ1に含まれる画素の輝度の平均値を求める演算を実行する。
【００２９】
画像データ変換部３０９は、平均値として得られた輝度を小ダイナミックレンジの所定のレベルに設定し、画像全体の輝度を、ポインタｐの確定以前と変更する。本実施形態でいう所定のレベルとは、８ビットで表される小ダイナミックレンジの平均値である。つまり、微小領域ａ1の平均値として得られた輝度が小ダイナミックレンジの平均値と一致するように画像の輝度を変換する。
【００３０】
輝度の基準の変更は、例えば、次のように行われる。本実施形態の画像表示装置は、大ダイナミックレンジ（例えば１２ビット）の画像データの処理が可能であって、このうちの８ビットを使って画像を表示するものである。このとき、微小領域ａ1の輝度の平均値が７ビット目にあれば、画像は、１２ビットで表される輝度のうちの３〜１０ビットの範囲の輝度で表される。画像データ変換部による輝度範囲の変更は、制御部２０１内の画像データ用メモリ３１１をワークメモリに使用して行われる。
【００３１】
なお、本実施形態は、ポインタｐで微小領域ａ1を選択する構成に限定されるものでなく、例えば図５（ｂ）に示すように、画面上の固定された微小領域ａ2の輝度の平均値を輝度の小ダイナミックレンジの平均値に設定するものであってもよい。
次に、以上述べた画像の輝度を変換する具体的な方法について説明する。図６は、本実施形態の画像処理方法をコンピュータに実行させるためのプログラムのフローチャートである。制御部２０１は、汎用的なプロセッサ等で輝度範囲の変更処理が開始されたか否か判断する（Ｓ６０１）。そして、処理が開始されていない場合には開始されるまで待機する（Ｓ６０１：Ｎｏ）。一方、処理が開始された場合には（Ｓ６０１：Ｙｅｓ）、ポインタｐによって確定された微小領域ａ1、または固定されている微小領域ａ2の位置に関する位置情報を取得する。
【００３２】
次に、輝度情報抽出部３０５は、微小領域ａ1、ａ2（本実施形態ではａ1とする）の全色の画素からＲ，Ｇ，Ｂの画像データのＧ（緑）の輝度に関する情報（Ｇｒｅｅｎプレーン）を抽出する（Ｓ６０３）。そして、抽出した情報の平均値を算出する（Ｓ６０４）。演算部３０７及び画像データ変換部３０９は、抽出された微小領域ａ１の輝度の平均値が輝度の小ダイナミックレンジの平均値と一致するように表示されている画像の輝度を変換する。
【００３３】
本実施形態では、演算部３０７による輝度の変換を、次のようにして行う。すなわち、演算部３０７及び画像データ変換部３０９は、画像全体の輝度の平均値を算出する。画像全体の輝度の平均値は、例えば、反射率１８％に相当する輝度とすることができる。なお、反射率１８％という値は、画像データがガンマ補正される前の画素値を使った場合の値である。
【００３４】
上記した反射率１８％とは、平均的な白色画像の反射率９０％と、黒色画像の反射率３％の平均値である。
すなわち、（ｌｏｇ０．０３＋ｌｏｇ０．９）／２≒ｌｏｇ０．１８
演算部３０７及び画像データ変換部３０９は、算出された微小領域の輝度を反射率１８％に相当する輝度に一致させる変換の係数を算出する。そして、算出された係数を画像の全画素に乗じることによって全画素の輝度を変更する（Ｓ６０５）。なお、このような演算にＧｒｅｅｎプレーンが利用されるのは、Ｒ，Ｇ，Ｂのうちで緑色が画像の輝度に最も影響する色であることによる。
【００３５】
変換された画像データは、表示用ＬＳＩ２０５を介してＶＲＡＭ２０７に送出され、蓄積される。そして、表示用ＬＳＩ２０５を介して読み出され、ディスプレイ１０１に表示される（Ｓ６０６）。
以上、図６のフローチャートで示した本実施形態の画像処理方法をコンピュータに実行させるためのプログラムは、インストール可能な形式又は実行可能な形式のファイルでＣＤ−ＲＯＭ、フロッピー（登録商標）ディスク（ＦＤ）、ＤＶＤ等のコンピュータで読み取り可能な記録媒体に記録されて提供される。また、本実施形態の画像処理方法をコンピュータに実行させるためのプログラムを、インターネット等のネットワークに接続されたコンピュータ上に格納し、ネットワーク経由でダウンロードさせることにより提供するように構成しても良い。
【００３６】
以上説明した本実施形態の画像表示装置及び画像処理方法をコンピュータに実行させるためのプログラムは、オペレータが画像のうちの所望の箇所を選択し、この箇所に合わせて画像全体の輝度を変更することができる。したがって、本実施形態の画像表示装置及び画像処理方法をコンピュータに実行させるためのプログラムは、画像のうちの任意の箇所に合わせて自動的に画像の輝度を設定し、所望の画像を簡易に得ることができる。
【００３７】
このような本実施形態の画像表示装置及び画像処理方法をコンピュータに実行させるためのプログラムによれば、例えば、記念写真の撮影等において、特に影になっている人物の顔に合わせて輝度を設定し、全員の顔が明瞭に表現される写真を得ることができる。また、このような写真を得るにあたり、輝度を調整しながら複数の画像を形成し、この中から最も適正な写真を選択するというオペレータの作業が不要になる。
【００３８】
なお、本発明は、以上述べた実施形態に限定されるものではない。すなわち、本実施形態の画像表示装置及び画像処理方法をコンピュータに実行させるためのプログラムは、輝度の基準値となる領域が、画素数個分といった微小な範囲に限定されるものではない。すなわち、上記した記念撮影の例を挙げれば、撮影される複数の人物の顔を含む比較的広い領域の輝度の平均値を画像全体の平均値に設定することもできる。このような構成によれば、撮影された複数の人物の顔を明瞭に表現することができる。
【００３９】
さらに、本実施形態は、輝度の基準値となる微小領域を１つだけ選択するものに限定されるものでなく、複数選択することも可能である。このような場合、複数選択された微小領域の輝度の平均値を算出し、この値を画像の輝度の平均値に設定する。
また、本発明の画像表示装置は、図１に示した構成に限定されるものではない。すなわち、例えば、携帯電話として構成し、携帯電話の表示画面に表示されている画像の輝度を変更することもできる。
【００４０】
図7は、携帯電話として構成された本実施形態の画像表示装置を示す図である。図示した画像表示装置では、一般的に携帯電話に備えられている数字キー７０３に着目し、数字キー７０３とディスプレイ７００との領域を対応付けている。図示した画像表示装置のディスプレイ７００に格子線７０１を表示し、格子線７０１で区切られた領域を数字キー７０３の一つ一つに対応させる。
【００４１】
このような構成に置いて、オペレータは、例えば、領域ａ3に表示されている画像を輝度の基準値に設定したい場合、領域ａ3に対応するキー(図７では「１」のキーとする)を押下する。このような操作により、図７の画像表示装置は、領域ａ3に表示されている画像の輝度を算出し、算出された輝度が画像の輝度の平均値になるように画像全体の輝度を変換し、画像を表示しなおすものとする。
【００４２】
さらに、本実施形態の画像表示装置は、輝度の基準となる画像の領域を選択する構成とディスプレイとが別体になっていても良い。また、輝度の変更対象となる画像は静止画像に限定されるものでなく、動画の輝度を変更することができる。
このため、本実施形態の画像表示装置は、ビデオプレイヤーやビデオレコーダにも適用できる。ビデオプレイヤーやビデオレコーダに適用した場合、テレビ等のディスプレイに表示された画像に重ねて格子線を表示させ、格子線で区切られた各領域にリモートコントローラ等の数字キーを対応させることもできる。このようにした場合、数字キーを操作して画像の任意の領域を選択し、この領域に表示されている画像の輝度を基準に全画像の輝度を変更することができる。
【図面の簡単な説明】
【００４３】
【図１】本発明の一実施形態の画像表示装置を説明するための図である。
【図２】図１に示した画像表示装置の構成を説明するためのブロック図である。
【図３】図２に示した制御部のうち、画像処理用プロセッサ及び画像データ用メモリを説明するための機能ブロック図である。
【図４】本発明の一実施形態の画像表示装置の動作を説明するための図である。
【図５】本発明の一実施形態の画像表示装置の動作を説明するための他の図である。
【図６】本発明の一実施形態の画像処理方法をコンピュータに実行させるためのプログラムのフローチャートである。
【図７】携帯電話として構成された本発明の一実施形態の画像表示装置を示す図である。
【図８】従来技術を説明するための図である。
【符号の説明】
【００４４】
１０１、７００  ディスプレイ、１０３  コントロールボタン、１０５  本体
２０１  制御部、２０３  画像保存用大容量メモリ、３０１  画像処理用プロセッサ
３０３  指定座標受付部、３０５  輝度情報抽出部、
３０７  演算部、３０９  画像データ変換部、３１１  画像データ用メモリ
７０１  格子線、７０３  数字キー
【図１】
2006080826.tif 000003
【図２】
2006080826.tif 000004
【図３】
2006080826.tif 000005
【図４】
2006080826.tif 000006
【図５】
2006080826.tif 000007
【図６】
2006080826.tif 000008
【図７】
2006080826.tif 000009
【図８】
2006080826.tif 000010